(57)【特許請求の範囲】
【請求項１】
電線管を締結するための電線管用コネクタにおいて、円筒型で、内側に進行するほど直径が広くなる傾斜部（１１０）が形成され、前記傾斜部の開放端部側の内径にはくさび離脱防止あご（１２０）が形成され、前記傾斜部（１１０）と接する平坦部（１４０）が形成される本体（１０）と、
前記本体（１０）の内側に具備される水密パッキング（２０）と、
前記水密パッキング（２０）と接するＯリング（３０）と、
前記Ｏリング（３０）と接して支持される弾性部材（４０）と、
前記弾性部材（４０）と接して弾性支持されるくさび（５０）と、
前記くさび（５０）の内径で外径側に弾性支持するリング型弾性部材（６０）とで構成され、
中央から対称に両側が等しく形成され、
前記くさび離脱防止あご（１２０）は、前記くさび（５０）が当接して、外部に離脱されるのを防止し、
前記くさび（５０）が前記電線管の外周面と密着し、前記電線管と前記電線管コネクタは電気的に接続されることを特徴とする電線管コネクタ。
【請求項２】
前記くさびは３ないし４個で構成され、環形に配置されることを特徴とする請求項１記載の電線管コネクタ。
【請求項３】
前記本体（１０）の内側には係止突起（１５０）が形成されることを特徴とする請求項２記載の電線管コネクタ。
【請求項４】
前記本体（１０）には水密パッキング（２０）の一部が挿入されることができるように水密パッキング安着ホーム（１３０）が形成されることを特徴とする請求項２記載の電線管コネクタ。
【請求項５】
前記くさび（５０）の内径には鋸歯型の突起（５１０）が形成されることを特徴とする請求項２記載の電線管コネクタ。
【請求項６】
前記くさび（５０）の内径にはリング型弾性部材（６０）が挿入されることができるホーム（５２０）が形成されることを特徴とする請求項２記載の電線管コネクタ。
【請求項７】
電線管を締結するための電線管用コネクタにおいて、円筒型で、内側で進行するほど直径が広くなる傾斜部（１１０）が形成され、前記傾斜部の端部側の内径にくさび離脱防止あご（１２０）が形成され、前記傾斜部（１１０）と接する平坦部（１４０）が形成される本体（１０）と、
前記本体（１０）の内側に位する水密パッキング（２０）と、
前記水密パッキング（２０）と接するように位するＯリング（３０）と、
前記Ｏリング（３０）と接して支持される弾性部材（４０）と、
前記弾性部材（４０）と接して弾性支持されるくさび（５０）と、
前記くさび（５０）の内径で外径側に弾性支持するリング型弾性部材（６０）とで構成され、
反対側には外径にねじ部が形成されて結合ねじが具備され、
前記くさび離脱防止あご（１２０）は、前記くさび（５０）が当接して、前記くさび（５０）が外部に離脱されるのを防止し、
前記くさび（５０）が前記電線管の外周面と密着し、前記電線管と前記電線管コネクタは電気的に接続されることを特徴とする電線管コネクタ。
【発明の詳細な説明】
【技術分野】
【０００１】
本発明は電線管コネクタ（ＣＯＮＤＵＩＴ  ＣＯＮＮＥＣＴＯＲ）に関するものであり、本コネクタは電線管の締結（ｃｏｎｎｅｃｔｉｏｎ）時、簡単に連結することができるワンタッチ方式のくさび型コネクタに関する。
【背景技術】
【０００２】
一般的に、電線を結線する時、多様な方法が使われる。代表的に、電線芯線を結線して絶縁テープ等で処理する方法が使われているが、この場合、電線及び結線部が外部に露出した状態にされて絶縁破壊等のケーブル損傷問題が発生することになる。
【０００３】
したがって、このような結線方法の問題点を解決するために、別に保護手段として電線管を適用して電線管内の電線を保護する方法などが用いられている。
【０００４】
しかし、この方法は施工現場の特性に合わせて、電線管を建屋内のコンクリートや床、壁面に埋設したり、建屋内天井等露出部、及び水のような外部要因に脆弱な地中埋設や屋外露出部等に用いられる。
【０００５】
上記のような施工環境（条件）に電線管を施工する時、電線を内包するための配線や、電線管の保管や運搬、施工等の問題で、その長さが限定されることから、カップリング（ｃｏｕｐｌｉｎｇ）またはジョイント（ｊｏｉｎｔ）などを利用して複数個の電線管を締結する。このようなカップリングまたはジョイントのような連結部材の場合、従来にはねじ部を利用して電線管の一部をカップリングまたはジョイント等に締結する方法、または、カップリングもしくはジョイントの一部に締結ボルトを適用して電線管を締結する方法が使われている。このような締結方法は施工手法が複雑で、時間が掛かる上、補修時には締結されたカップリングまたはジョイントを分離しにくいという短所もあった。
【発明の概要】
【発明が解決しようとする課題】
【０００６】
本発明は、前記のような問題点を解決するために案出されたもので、施工が簡便な電線管コネクタを提供することを目的にする。本発明の他の目的は、高い結合力を維持することができ、補修時にはコネクタの分離作業が容易に行える電線管コネクタを提供することにある。
【課題を解決するための手段】
【０００７】
上記した目的及びその他の目的は、本発明によれば、下記の電線管コネクタによって達成することができる。円筒型で、内側に進行するほど直径が広くなる傾斜部（１１０）が形成され、前記傾斜部の開放端部側の内径にくさび離脱防止あご（１２０）が形成され、前記傾斜部（１１０）と接する平坦部（１４０）が形成される本体（１０）と；前記本体（１０）の内側に具備される水密パッキング（２０）と；前記水密パッキング（２０）と接するＯリング（３０）と；前記Ｏリング（３０）と接して支持される弾性部材（４０）と；前記弾性部材（４０）によって弾性支持されるくさび（５０）と；前記くさび（５０）の内径で外径方向に弾性支持するリング型弾性部材（６０）とで構成され、締結のために電線管を内側に挿入した場合、くさび（５０）が本体（１０）の内側方向に移動して複数個のくさび（５０）と電線間との間の間隔が拡張されて電線管が容易に挿入され、挿入が完了すれば、弾性部材（４０）によってくさび（５０）が本体（１０）の開放方向に移動され、複数個のくさび（５０）との間の間隔が狭くなって電線管の外周面に密着されて締結が完了される。
【発明の効果】
【０００８】
本発明の電線管コネクタによれば、施工が簡便で、高い結合力を維持することができ、補修時にはコネクタの分離作業が容易で施工時間及び施工費用を節減することができる。
【図面の簡単な説明】
【０００９】
【図１】本発明の電線管コネクタの展開斜視図である。
【図２】本発明の電線管コネクタの断面図である。
【図３】本発明の電線管コネクタの動作状態図である。
【図４】本発明の電線管コネクタの動作状態図である。
【図５】本発明の電線管コネクタの実施を示した例示図である。
【図６】本発明の電線管コネクタの他の実施形態を示した斜視図である。
【図７】本発明の電線管コネクタのもう１つの実施形態を示した斜視図である。
【発明を実施するための形態】
【００１０】
以下、当業者が本発明の電線管コネクタを容易に実施するように図面を参照して詳細に説明する。
【００１１】
図１は本発明の電線管コネクタの展開斜視図で、図２は本発明の電線管コネクタの断面図で、図３及び図４は本発明の電線管コネクタの動作状態図であり、図５は本発明の電線管コネクタの実施を示した例示図である。
【００１２】
図２ないし図３を参照して詳細に説明すれば、本発明の電線管コネクタは円筒型の本体（１０）、前記本体（１０）の内側に具備される水密パッキング（２０）、前記水密パッキング（２０）に接して水密パッキング（２０）を支持するＯリング（３０）、前記Ｏリング（３０）と接してＯリング（３０）によって支持される弾性部材（４０）、前記弾性部材（４０）と接して弾性部材（４０）によって本体（１０）の開放端部側に加圧される複数個の環型状に配置されたくさび（５０）、及び前記くさび（５０）の内径に位置して前記くさび（５０）を外径方向に加圧するリング型弾性部材（６０）で構成される。
【００１３】
上述した電線管コネクタの本体（１０）の内側には、くさび（５０）が接する傾斜部（１１０）が形成され、前記傾斜部（１１０）の端部である本体（１０）の開放端部側の内径には前記くさび（５０）が外部に離脱されることを防止するためのくさび離脱防止あご（１２０）が形成される。前記離脱防止あご（１２０）の反対側の内周面には水密パッキング（２０）が安着される水密パッキング安着ホーム（１３０）が形成される。また、前記水密パッキング安着ホーム（１３０）と傾斜部（１１０）との間に平坦部（１４０）が形成されて、水密パッキング安着ホーム（１３０）の内側には係止突起（１５０）が形成される。ここで、前記傾斜部（１１０）は本体（１０）の開放端部側に移動するほど、その直径が小さくなるように形成される。上記のように構成された電線管コネクタの本体（１０）の内側に位する複数個のくさび（５０）の内周面には、鋸歯型の突起（５１０）が形成されて内周面に接する電線管の外径にて滑ることを防止する。
【００１４】
前記くさび（５０）の外径は傾くように形成され、その内周面に形成される鋸歯型の突起（５１０）の中間にはホーム（５２０）が形成され、その内側にはリング型弾性部材（６０）が位する。
【００１５】
前記リング型弾性部材（６０）は外径方向で弾性力を維持することができるため、これにより複数個のくさび（５０）が本体（１０）の内側の傾斜部（１１０）と密着力を維持することができる。前記くさび（５０）と接する弾性部材（４０）は、くさび（５０）を本体（１０）の開放端部側で弾性力を維持することができるため、これによりくさび（５０）が本体（１０）の傾斜部（１１０）に接して移動することができる。
【００１６】
上記のように構成された電線管コネクタに電線管が締結される時、本体（１０）の内側には電線管（９０）の一部が挿入される。この、前記電線管（９０）が本体（１０）の内側に挿入される時、本体（１０）の内側に位置した複数個のくさび（５０）が、本体（１０）の傾斜部（１１０）に接しながら内側方向に移動していき、複数個のくさび（５０）が環型に配置されて傾斜部（１１０）の直径が広い部分に到達した時、複数個のくさび（５０）と電線管との間の間隔が広くなり、電線管（９０）の外径より大きくなって容易に挿入される。
【００１７】
前記くさび（５０）は３ないし４個で構成されるのが望ましく、本明細書及び添付された図面では３個の例により説明する。上記のように挿入される電線管（９０）は、決まった深さ以上に、挿入されるのを防止する係止突起（１５０）の端部がかかるようになっており、規定深さ以上挿入されない。上記のように、電線管（９０）が決まった深さ以上に挿入されれば、電線管（９０）により加圧されたくさび（５０）が、弾性部材（４０）によって本体（１０）の開放端部側に移動するようになって、複数個のくさび（５０）の環型の直径が小さくなるようになり、電線管（９０）の外径に密着されて結束力を維持することができる。
【００１８】
上記のように、本体（１０）に電線管（９０）が締結されれば、前記電線管（９０）の外径に密着される水密パッキング（２０）によって水密力が維持され、本体（１０）の内側に水などが浸透されることを防止することができる。
【００１９】
このように形成された本発明の電線管コネクタの本体（１０）の一方に電線管（９０）の端部を押し入れて締結した後、本体（１０）の他方にも等しい方法で電線管（９０）を押し入れて締結し、複数個の電線管の結束を完成する。
【００２０】
尚、電線管コネクタの本体（１０）と双方に押し入れて締結された複数個の電線管（９０）は、３ないし４個で構成されたくさび（５０）の全ての内周面に形成された鋸歯型の突起（５１０）が、弾性部材（４０）によって本体（１０）の開放端部側に移動し、その高い結束力により電線管の外周面に密着され、複数個の電線管と電線管コネクタは電気的に接続される。
【００２１】
また、補修等のため電線管を本発明の電線管コネクタから取り外す場合には、専用の治具（図示せず）を使用してくさび（５０）を本体（１０）の内側方法に押し込むことで、くさび（５０）と電線管との間の間隔が拡張されて、電線管を容易に外すことができる。
【００２２】
上記のように形成された本体（１０）は、係止突起（１５０）を中心に反対側に等しい型が対称に形成されていたり、反対側の外径にねじ部（７０）が形成され、結合ねじ（８０）が具備される形態に形成されたりする。
【００２３】
上記のような本発明の別の実施例は、以下で図面を参照して詳細に説明する。図６は本発明の電線管コネクタの他の実施形態を示した斜視図で、図７は本発明の電線管コネクタのもう１つの実施形態を示した斜視図である。
【００２４】
図６を参照して本発明の他の実施例に対して詳細に説明する。
【００２５】
本体（１０）の一方には電線管（９０）が締結されることができるように、内側には複数個のくさび（５０）と、前述のくさび（５０）と接して弾性力を付与する弾性部材（４０）と、前述の弾性部材（４０）と水密パッキング（２０）を支持するためのＯリング（３０）及び水密パッキング（２０）が具備され、その反対側には外形にねじ部（７０）が形成され、前述のねじ部（７０）に対し、水密パッキング（１７０）が具備されたインサート（１６０）の外径側にくるむようにして可とう電線管（１８０）を結合したものを、ねじ部の内径側に挿入した後、前述のインサート（１６０）と可とう電線管（１８０）をくるむようにして結合ねじ（８０）を締結する。
【００２６】
図７を参照して本発明のもう１つの実施例に対して詳細に説明する。本体（１０）の一方には電線管（９０）が締結されることができるように、内側には複数個のくさび（５０）と、前記くさび（５０）と接して弾性力を付与する弾性部材（４０）と、前記弾性部材（４０）と水密パッキング（２０）を支持するためのＯリング（３０）及び水密パッキング（２０）が具備され、その反対側には外径にねじ部（７０）が形成され、前記ねじ部（７０）に水密用のパッキング（１７０）及び結合される結合ねじ（８０）が具備されるように形成される。
【００２７】
上記のように形成された本体（１０）の一方の端部には電線管（９０）の一部が挿入され、反対側に位置したねじ部（７０）を電線分岐用ボックス（１００）等に結合して使う。より詳細に説明すれば、電線分岐用ボックス（１００）の一方に形成されたホールに前記ねじ部（７０）を挿入した後、結合ねじ（８０）をねじ部（７０）に締結して電線分岐用ボックス（１００）に結合する。
【符号の説明】
【００２８】
１０：本体
２０：水密パッキング
３０：Ｏリング
４０：弾性部材
５０：くさび
６０：リング型弾性部材
７０：ねじ部
８０：結合ねじ
９０：電線管
１１０：傾斜部
１００：電線分岐用ボックス
１２０：くさび離脱防止あご
１３０：水密パッキング安着ホーム
１４０：平坦部
１５０：係止突起
１６０：インサート
１７０：水密パッキング
１８０：可とう電線管
５１０：突起
５２０：ホーム
【図１】
0005974617.tif 000002
【図２】
0005974617.tif 000003
【図３】
0005974617.tif 000004
【図４】
0005974617.tif 000005
【図５】
0005974617.tif 000006
【図６】
0005974617.tif 000007
【図７】
0005974617.tif 000008